(57)【要約】      （修正有）【課題】製品の収納、梱包、もしくは運送の際に空間を占めることなく、コストを節減でき、かつ製品の外観デザインに制限を与えることのない電灯カバーを提供する。【解決手段】上フレーム２と、下フレーム１と、遮光性カバー３とを含んでなる電灯カバーにおいて、該上フレームと下フレームとに、それぞれ面ファスナーを設け、かつ該遮光性カバーの内側の上下端縁部であって、該上、下フレームに設けた面ファスナーに対応する位置に、それぞれ面ファスナーを設けこれら面ファスナーを介して該遮光性カバーを該上フレームと該下フレームとに着脱自在に設ける。【選択図】図１
0003145825.tif 000002
【実用新案登録請求の範囲】
【請求項１】
上フレームと、下フレームと、遮光性カバーとを含んでなる電灯カバーであって、
該上フレームと下フレームとに、それぞれ面ファスナーを設け、かつ該遮光性カバーの内側の上下端縁部であって、該上、下フレームに設けた面ファスナーに対応する位置に、それぞれ面ファスナーを設け、
これら面ファスナーを介して該遮光性カバーを該上フレームと該下フレームとに着脱自在に設けることを特徴とする電灯カバー。
【請求項２】
前記下フレームの中央の位置に、電灯に取り付けるための取り付け部を、複数の支持桿を介して設けることを特徴とする請求項１に記載の電灯カバー。
【請求項３】
前記上フレームと下フレームの内周面に面ファスナーを設け、該遮光性カバーの上端縁部を外から内方向へ巻き込み、遮光性カバーの内周面に設けた該面ファスナーを、該上、下フレームの内周面に設けた面ファスナーに密接させて接合させることを特徴とする請求項１に記載の電灯カバー。
【請求項４】
前記遮光性カバーが光透過性シートと布地シートとによってなり、該布地シートは該光透過性シートの外側に位置し、上端縁部を折り返して該光透過性シートの上端縁部を被覆して布地端縁部を形成し、該布地端縁部に面ファスナーを設けることを特徴とする請求項１に記載の電灯カバー。
【考案の詳細な説明】
【技術分野】
【０００１】
この考案は照明具用の電灯カバーに関し、特に電気スタンドなどの照明具に応用され、着脱に便利な電灯カバーに関する。
【背景技術】
【０００２】
従来の電気スタンドにおける電灯カバーは、支持フレームと、遮光性カバーとによってなり、該支持フレームは上フレームと下フレームとを含む。
【０００３】
上述する従来の電灯カバーを組み立てる場合は、一般に予め上フレームと下フレームとを連結して電気スタンドの立体の電灯カバー用支持フレームを構成し、さらに遮光性カバーを該支持フレームに取り付ける。
【０００４】
上述するように、従来の伝統カバーを組み立てる作業は簡単であるが、但し、予め立体の支持フレームを構成するため、製品の収納、もしくは運搬にかなりの空間を占め、運送の費用だけでもコストがかなり高くなる。
【０００５】
そこで、例えば電灯カバーを折りたたみ式にするなどの工夫をこらせば、製品の収納、梱包、運搬に占める空間が減少する。しかしながら、折りたたみ式にした場合、製品の外観デザインの面で制限を受ける。
【考案の開示】
【考案が解決しようとする課題】
【０００６】
この考案は、製品の収納、梱包、もしくは運送の際に空間を占めることなく、コストを節減でき、かつ製品の外観デザインに制限を与えることのない電灯カバーを提供することを課題とする。
【０００７】
また、この考案は遮光性カバーの取り付け、取り外し自在で、かつ該遮光性カバーを簡易な操作で着脱できる電灯カバーを提供することを課題とする。
【課題を解決するための手段】
【０００８】
そこで、本考案者は従来の電気スタンド、及びその電灯カバーの有する欠点に鑑み鋭意研究を重ねた結果、上フレームと、下フレームと、遮光性カバーとを含んでなる電灯カバーにおいて、該上フレームと下フレームとに、それぞれ面ファスナーを設け、かつ該遮光性カバーの内側の上下端縁部であって、該上、下フレームに設けた面ファスナーに対応する位置にも、それぞれ面ファスナーを設け、これら面ファスナーを介して該遮光性カバーを該上フレームと該下フレームとに着脱自在に設ける構造の電灯カバーによって課題を解決できる点に着眼し、係る知見に基づいて本考案を完成させた。
【０００９】
以下、この考案について具体的に説明する。
請求項１に記載する電灯カバーは、上フレームと、下フレームと、遮光性カバーとを含んでなる電灯カバーであって、
該上フレームと下フレームとに、それぞれ面ファスナーを設け、かつ該遮光性カバーの内側の上下端縁部であって、該上、下フレームに設けた面ファスナーに対応する位置に、それぞれ面ファスナーを設け、
これら面ファスナーを介して該遮光性カバーを該上フレームと該下フレームとに着脱自在に設ける。
【００１０】
請求項２に記載する電灯カバーは、請求項１における下フレームの中央の位置に、電灯に取り付けるための取り付け部を、複数の支持桿を介して設ける。
【００１１】
請求項３に記載する電灯カバーは、請求項１における上フレームと下フレームの内周面に面ファスナーを設け、該遮光性カバーの上端縁部を外から内方向へ巻き込み、遮光性カバーの内周面に設けた該面ファスナーを、該上、下フレームの内周面に設けた面ファスナーに密接させて接合させる。係る遮光性カバーの構造によって、電灯カバーの上端縁から面ファスナーの側面が露出することがなくなり、好ましい美観が得られる。
【００１２】
請求項４に記載する電灯カバーは、請求項１における遮光性カバーが光透過性シートと布地シートとによってなり、該布地シートは該光透過性シートの外側に位置し、上端縁部を折り返して該光透過性シートの上端縁部を被覆して布地端縁部を形成し、該布地端縁部に面ファスナーを設ける。係る遮光性カバーの構造によって、電灯カバーの上端縁から面ファスナーの側面が露出することがなくなり、好ましい美観が得られる。
【考案の効果】
【００１３】
この考案によれば、簡易な操作で電灯カバーの遮光性カバーを着脱させることができるため、遮光性カバーを使用者の好みで自由に取り替えることができ、製品のカスタマイズの達成と、使用上の利便性が得られるとともに、製造者側にとっては製品の収納、梱包、もしくは運送の際に空間を占めることなく、コストを節減できるという利点を有する。
【考案を実施するための最良の形態】
【００１４】
この考案は、面ファスナーを利用して電灯カバーの支持フレームに遮光性カバーを着脱自在に設ける。面ファスナーは、例えばベルクロ (VELCRO、登録商標)などが業界で知られていて、輪のある面とフックのある面とを密接させることによって接合の効果を得ることができる。また、一方の面に力を加えて剥がすことができる。輪のある面とフックのある面は、その位置を互いに取り替えてもよい。
係る構成の電灯カバーについて、図面を参照にして具体的な実施例を以下に述べる。
【実施例１】
【００１５】
図１に開示するように、この考案による電灯カバーは下フレーム１と、上フレーム２と、遮光性カバー３とを含んでなる。下フレーム１の中央の位置には複数の支持桿５を介して、電灯に取り付けるための取り付け部４を一体に設ける。
【００１６】
下フレーム１と上フレーム２の外周面には円周に沿って面ファスナー１２、２２をそれぞれ設け、かつ遮光性カバー３の上、下端縁部で面ファスナー１２、２２に対応する位置にそれぞれ面ファスナー３２、３４を設ける。よって、遮光性カバー３を下フレーム１と、上フレーム２とによって構成される支持フレームに取り付ける場合、遮光性カバー３の上、下端縁部にそれぞれ設けた面ファスナー３２、３４が、下フレーム１と上フレーム２の外周面に設けた面ファスナー１２、２２に密接に接合する。
【実施例２】
【００１７】
上述するように、面ファスナー３２、３４は遮光性カバー３に直接設ける。但し、係る構成において遮光性カバー３を取り付けた場合、遮光性カバーの上下端の外観上の美観を損ねる。そこで、図２に開示するように、面ファスナー２２、１２を上フレーム２、下フレーム１の内周面に設け、遮光性カバー３の上端縁部を外から内方向へ巻き込み、面ファスナー３２を、上フレーム２の内周面に設けた面ファスナー２２と密接させ、接合させるとともに、遮光性カバー３の下端縁部に設けた面ファスナー３４も外から内方向へ巻き込み、下フレーム１の内周面に設けた面ファスナー１２と密接させ、接合させるようにしてもよい。
【実施例３】
【００１８】
図３に第２の実施例を開示する。図面によれば遮光性カバー３は、光透過性シート３５と、布地シート３６とによってなる。布地シート３６は光透過性シート３５の外側に位置し、上端縁部を折り返して光透過性シート３５の上端縁部を被覆し、布地端縁部３７を形成する。面ファスナー２２は布地端縁部３７上に設ける。この場合、上端縁から、例えば５ｃｍなど、適宜な距離を開けて設ける。このため、面ファスナー２２の側面が露出することなく、電灯カバーの好ましい外観を得ることができる。
【００１９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に含まれるものとする。
【図面の簡単な説明】
【００２０】
【図１】第１の実施例による電灯カバーの構造を示した説明図である。
【図２】第２の実施例による電灯カバーの構造を示した説明図である。
【図３】第３の実施例による電灯カバーの構造を示した説明図である。
【符号の説明】
【００２１】
１      下フレーム
１２    面ファスナー
２      上フレーム
２２    面ファスナー
３      遮光性カバー
３２    面ファスナー
３４    面ファスナー
３５    面ファスナー
３６    布地シート
３７    布地端縁部
４      取り付け部
５      支持桿
【図１】
0003145825.tif 000003
【図２】
0003145825.tif 000004
【図３】
0003145825.tif 000005